(57)【要約】【課題】傾斜角度が異なっても商品陳列棚の後方で仕切板との間に隙間が生じることがなく、商品陳列効果が低下することを防止でき、また、庫内の奥行きが異なるショーケースにおいて、共通に使用できる商品陳列棚を得る。【解決手段】線材で形成され本体部９とこれにスライド自在に組合わさる滑動部１９とで構成する冷凍冷蔵ショーケースの商品陳列棚６において、本体部９を、適宜間隔で並行に配置した横桟１１と、この横桟１１の上に並行に配置される多数本の縦桟１２とで形成し、滑動部１９を、一端がショーケース側に着脱自在に係止され他端が本体部の下部にスライド自在に係合する支持部材１４と、この支持部材１４の端部近傍の上部にこれと直交して配設される横部材１７と、この横部材１７の上に端部が固定されて配設される多数本の縦部材１８とで形成し、前記本体部９の下部に設けた係止部材１３に滑動部１９の支持部材１４をスライド自在に係合した。【選択図】        図１
2004305369.tif 000002
【特許請求の範囲】
【請求項１】
線材で形成され本体部とこれにスライド自在に組合わさる滑動部とで構成する冷凍冷蔵ショーケースの商品陳列棚において、本体部を、適宜間隔で並行に配置した横桟と、この横桟の上に並行に配置される多数本の縦桟とで形成し、滑動部を、一端がショーケース側に着脱自在に係止され他端が本体部の下部にスライド自在に係合する支持部材と、この支持部材の端部近傍の上部にこれと直交して配設される横部材と、この横部材の上に端部が固定されて配設される多数本の縦部材とで形成し、前記本体部の下部に設けた係止部材に滑動部の支持部材をスライド自在に係合したことを特徴とする冷凍冷蔵ショーケースの商品陳列棚。
【請求項２】
前記本体部の縦桟の上に滑動部の縦部材に当接する横細長プレート状の押さえ部材を取付けたことを特徴とする冷凍冷蔵ショーケースの商品陳列棚。
【請求項３】
前記係止部材はＬ字形金物に係止孔を形成したことを特徴とする請求項１記載の冷凍冷蔵ショーケースの商品陳列棚。
【発明の詳細な説明】
【０００１】
【発明の属する技術分野】
この発明は冷凍冷蔵ショーケースの商品収納庫内に配設する商品陳列棚に関するものである。
【０００２】
【従来の技術】
冷凍冷蔵ショーケースは、例えば図６に示すように、断熱壁で形成され前面または上面に商品出入れ用の開口２を設けたショーケース本体１内を仕切板３で商品収納庫４と冷気循環ダクト５とに区画し、商品収納庫４内に商品７を陳列する商品陳列棚６を配設している。図中８は商品収納庫４の底部に配設するデッキパンと称せられる底板を示す。
【０００３】
前記商品陳列棚６は、ワイヤーなどの線材で形成されるもので、従来の商品陳列棚６の構造を説明すると、例えば図８に示すように本体部９と、この本体部９にスライド自在に組合わさる支持部２０とで形成し、前記本体部９は、適宜間隔で配置した例えば４本の横桟１１の上に、多数本、図示の例では１３本の縦桟１２をスポット溶接して全体を格子状に形成した。
【０００４】
前記支持部２０は、本体部９の後端を支承するとともに、本体部９の設置傾斜角度を変更するもので、２本の線材による支持部材１４の一方の端部の上に１本の線材による補助部材１５をスポット溶接により接合して全体をコ字形に形成したもので、補助部材１５を取り付けた側の支持部材１４の先端を下方に向けて折り曲げフック部１４ａとした。
【０００５】
また、前記本体部９の下部に前記支持部材１４を支持するとともに支持部２０のスライド方向を規制するガイドとなる係止部材１３をスポット溶接により取付ける。この係止部材１３は、Ｌ字形の金物の垂直部に係止孔１３ａを穿設したもので、例えば、本体部９の後部で前後に位置させてかつ左右に２箇所配設する。
【０００６】
支持部２０を本体部９に組み合わせるには、支持部材１４を係止部材１３の係止孔１３ａに挿入すれば、支持部２０が本体部９の後部側の下面に前後にスライド自在に装着される。
【０００７】
かかる商品陳列棚６を商品収納庫４内に設置するには、図７に示すように商品収納庫４の背面パネルともなっている仕切板３に形成してある係止孔１０に、支持部２０の支持部材１４の先端に形成してあるフック部１４ａを引っ掛け、本体部９の前縁を底板８の前端に係止すれば、本体部９と支持部２０との組み合わせで構成される商品陳列棚６は商品収納庫４内に配設される。
【０００８】
この場合、仕切板３には、縦方向に複数の係止孔１０が適宜間隔で形成してあるから、任意の高さの係止孔１０を選択することで、陳列する商品の種類などに合わせて最適な商品陳列棚６の取付けの傾斜角度を設定できる。
【０００９】
商品陳列棚６の取付けの傾斜角度が変わると、これに追随して、商品陳列棚６が取付けられる係止孔１０の箇所から底板８の前端までの距離が変化するが、これに対しては、支持部２０の支持部材１４を前後にスライドさせて本体部９からの支持部２０の後方への突出長を変更することで商品陳列棚６の前後方向の全体長を変え対処する。
【００１０】
支持部２０のスライドは、支持部材１４が係止部材１３の係止孔１３ａ内を前後にスライドすることで、支持部材１４が本体部９の下方をスライドして行なわれる。
【００１１】
前記先行技術は、当業者間で一般的に行なわれているものであり、文献公知発明にかかるものではない。
【００１２】
【発明が解決しようとする課題】
商品陳列棚６の傾斜角度が大きくなると、支持部２０の後方への突出長が大きくなる。一方、支持部２０は、２本の支持部材１４と１本の補助部材１５の組み合わせによるコ字形のものであるから、本体部９から後方へはコ字形の枠が突出することになる。
【００１３】
その結果、本体部９の後方には仕切壁３との間に大きな隙間部２１が形成されることになる。この隙間部２１は商品を陳列できない空間であり、ボリューム感のある商品陳列ができず、傾斜による陳列効果を十分に発揮できなかった。
【００１４】
また、庫内の奥行き寸法の異なるショーケースに対しては、所定の陳列効果を確保しようとすると、この商品陳列棚を共通部品として使用することができず、庫内の奥行き寸法に応じて種類の異なる商品陳列棚が必要になる。
【００１５】
この発明の目的は前記従来例の不都合を解消し、冷凍冷蔵ショーケース内に商品陳列棚を傾斜角度を調整自在に取付ける場合、傾斜角度が異なっても商品陳列棚の後方で仕切板との間に隙間が生じることがなく、商品陳列効果が低下することを防止でき、また、庫内の奥行きが異なるショーケースにおいて、共通に使用できる冷凍冷蔵ショーケースの商品陳列棚を提供することにある。
【００１６】
【課題を解決するための手段】
この発明は前記目的を達成するため、線材で形成され本体部とこれにスライド自在に組合わさる滑動部とで構成する冷凍冷蔵ショーケースの商品陳列棚において、本体部を、適宜間隔で並行に配置した横桟と、この横桟の上に並行に配置される多数本の縦桟とで形成し、滑動部を、一端がショーケース側に着脱自在に係止され他端が本体部の下部にスライド自在に係合する支持部材と、この支持部材の端部近傍の上部にこれと直交して配設される横部材と、この横部材の上に端部が固定されて配設される多数本の縦部材とで形成し、前記本体部の下部に設けた係止部材に滑動部の支持部材をスライド自在に係合したことを特徴とする。
【００１７】
このように本体部からスライドして後方に突出する滑動部には多数本の縦部材が取付けられているから、本体部から滑動部を後方に向けて突出させ商品陳列棚を伸長した状態で、滑動部の上にも商品を陳列できる。よって、商品陳列棚を傾斜させて取り付け場合の商品陳列効果を向上できる。
【００１８】
また、奥行き寸法の異なるショーケースに対して、同じサイズの商品陳列棚を共通に使用しても同等の陳列効果を期待できる。
【００１９】
【発明の実施の形態】
以下、図面についてこの発明の実施の形態を詳細に説明する。図１はこの発明の冷凍冷蔵ショーケースの商品陳列棚の実施形態を示す分解斜視図、図２は同上要部である係止部材と押さえ部材１６の箇所の側面図で、この発明の商品陳列棚６が配設される冷凍冷蔵ショーケースの全体構成は、図６について既に説明した従来例と同様であるから、この発明が実施される図４の冷凍冷蔵ショーケースについては同一の参照符号を付して、詳細な説明は省略する。
【００２０】
この発明の商品陳列棚６は、ワイヤーなどの線材で形成され本体部９とこれにスライド自在に組合わさる滑動部１９とで構成するもので、本体部９を、適宜間隔で並行に配置した５本の横桟１１と、この横桟１１の上に並行に配置される多数本、図示の例では１２本の縦桟１２とで形成した。
【００２１】
また、滑動部１９を、一端がショーケース側の背面パネルとなる仕切板３に着脱自在に係止され他端が本体部９の下部にスライド自在に係合する間隔をおいて配置した２本の支持部材１４と、この支持部材１４の端部近傍の上部にこれと直交して配設される１本の横部材１７と、この横部材１７の上に端部が固定されて配設される多数本、図示の例では１２本の縦部材１８とで形成し、前記支持部材１４の後端部はこれを下方に直角に折り曲げてフック部１４ａに形成した。なお、縦部材１８の配列の間隔は、本体部９の縦桟１２の配列間隔と同じに形成する。
【００２２】
本体部９の下部には、前記支持部材１４を支持するとともに滑動部１９のスライド方向を規制するガイドとなる係止部材１３をスポット溶接により取付ける。この係止部材１３は、Ｌ字形の金物の垂直部に係止孔１３ａを穿設したもので、例えば、本体部９の後部で前後に位置させてかつ左右に２箇所配設する。
【００２３】
また、図２にも示すように本体部９の縦桟１２の後部側の上で、横桟１１に対向する位置に滑動部１９の縦部材１８に当接する横細長プレート状の押さえ部材１６を取付ける。この押さえ部材１６と横桟１１とにより、縦桟１２の厚み分の隙間が押さえ部材１６と横桟１１との間に形成され、この隙間が支持部材１４の挿入空間となる。
【００２４】
滑動部１９を本体部９に組み合わせるには、図３に示すように支持部材１４を係止部材１３の係止孔１３ａに挿入すれば、滑動部１９が本体部９の後部側の下面に前後にスライド自在に装着される。このとき、支持部材１４は係止孔１３ａ内を貫通するとともに、押さえ部材１６と横桟１１との間に形成される隙間内を挿通する。
【００２５】
これにより、支持部材１４は係止部材１３によって左右方向への移動を規制され、かつ、押さえ部材１６と横桟１１とによって上下方向への移動を規制された状態で、前後にスライド自在に本体部９に組合わさる。
【００２６】
かかる商品陳列棚６を商品収納庫４内に設置するには、図５に示すように商品収納庫４の背面パネルともなっている仕切板３に形成してある係止孔１０に、滑動部１９の支持部材１４の先端に形成してあるフック部１４ａを引っ掛け、本体部９の前縁を底板８の前端に係止すれば、本体部９と滑動部１９との組み合わせで構成される商品陳列棚６が商品収納庫４内に配設される。
【００２７】
この場合、仕切板３には、縦方向に複数の係止孔１０が適宜間隔で形成してあるから、任意の高さの係止孔１０を選択することで、陳列する商品の種類などに合わせて最適な商品陳列棚６の取付けの傾斜角度を設定できる。
【００２８】
商品陳列棚６の取付けの傾斜角度が変わると、これに追随して、商品陳列棚６が取付けられる係止孔１０の箇所から底板８の前端までの距離が変化するが、これに対しては、滑動部１９の支持部材１４を前後にスライドさせて本体部９からの滑動部１９の後方への突出長を変更することで商品陳列棚６の前後方向の全体長を変え対処する。
【００２９】
滑動部１９のスライドは、支持部材１４が係止部材１３の係止孔１３ａ内と、押さえ部材１６と横桟１１との間の隙間を前後にスライドすることで、支持部材１４が本体部９の下方をスライドして行なわれる。
【００３０】
商品陳列棚６の取付け角度によっては滑動部１９が本体部９から後方に大きく突出するが、この滑動部１９には多数本の縦部材１８が配列されているから、この滑動部１９の上にも商品を陳列できる。よって、本体部９の後方で仕切板３との間に空間が生じることはなく、陳列効果が低下することがない。
【００３１】
また、滑動部１９のうち、本体部９とかみ合っている部分については、縦部材１８と縦桟１２とは同一平面に位置するから、棚上に凹凸が生じることがなく、商品の載置に支障をきたすことがない。
【００３２】
【発明の効果】
以上述べたようにこの発明の冷凍冷蔵ショーケースの商品陳列棚は、線材で形成され本体部とこれにスライド自在に組合わさる滑動部とで構成する冷凍冷蔵ショーケースの商品陳列棚において、本体部を、適宜間隔で並行に配置した横桟と、この横桟の上に並行に配置される多数本の縦桟とで形成し、滑動部を、一端がショーケース側に着脱自在に係止され他端が本体部の下部にスライド自在に係合する支持部材と、この支持部材の端部近傍の上部にこれと直交して配設される横部材と、この横部材の上に端部が固定されて配設される多数本の縦部材とで形成し、前記本体部の下部に設けた係止部材に滑動部の支持部材をスライド自在に係合したものである。
【００３３】
このように本体部からスライドして後方に突出する滑動部には多数本の縦部材が取付けられているから、本体部から滑動部を後方に向けて突出させ商品陳列棚を伸長した状態で、滑動部の上にも商品を陳列できる。よって、商品陳列棚を傾斜させて取り付け場合の商品陳列効果を向上できる。
【００３４】
また、奥行き寸法の異なるショーケースに対して、同じサイズの商品陳列棚を共通に使用しても同等の陳列効果を期待できるものである。
【図面の簡単な説明】
【図１】この発明の冷凍冷蔵ショーケースの商品陳列棚の実施形態を示す分解斜視図である。
【図２】この発明の冷凍冷蔵ショーケースの商品陳列棚の実施形態を示す要部である係止部材と押さえ部材の箇所の側面図である。
【図３】この発明の冷凍冷蔵ショーケースの商品陳列棚の実施形態を示す組立てた状態の斜視図である。
【図４】この発明の商品陳列棚を取付けた冷凍冷蔵ショーケースの縦断側面図である。
【図５】この発明の冷凍冷蔵ショーケースの商品陳列棚の実施形態を示すショーケースに取付けた状態の斜視図である。
【図６】従来の商品陳列棚を取付けた冷凍冷蔵ショーケースの縦断側面図である。
【図７】従来の商品陳列棚の冷凍冷蔵ショーケースに取り付けた状態の斜視図である。
【図８】従来の商品陳列棚の分解斜視図である。
【符号の説明】
１  ショーケース本体            ２  開口
３  仕切板                      ４  商品収納庫
５  冷気循環ダクト              ６  商品陳列棚
７  商品                        ８  底板
９  本体部                      １０  係止孔
１１  横桟                      １２  縦桟
１３  係止部材                  １３ａ  係止孔
１４  支持部材                  １４ａ  フック部
１５  補助部材                  １６  押さえ部材
１７  横部材                    １８  縦部材
１９  滑動部                    ２０  支持部
２１  隙間部
【図１】
2004305369.tif 000003
【図２】
2004305369.tif 000004
【図３】
2004305369.tif 000005
【図４】
2004305369.tif 000006
【図５】
2004305369.tif 000007
【図６】
2004305369.tif 000008
【図７】
2004305369.tif 000009
【図８】
2004305369.tif 000010